(57)【要約】      （修正有）【課題】側溝設備を構築する際の側溝同士の繋ぎ合わせ工程を減少させることで、作業性の向上に優れ、かつ、側溝設備全体長さの正確性を担保する側溝を提供する。【解決手段】全体がコンクリートにより成型される水路を備えた側溝本体１０において、該側溝本体１０が、１０００〜２４００ｍｍの長さを有し、かつ、所定高さ位置Ｐより下方領域Ｒにおける一部若しくは全部が透水コンクリート２２により構成されている。該側溝本体１０の形状については、Ｕ字溝を採用し得る。【選択図】図１
0003176762.tif 000002
【実用新案登録請求の範囲】
【請求項１】
全体がコンクリートにより成型される水路を備えた側溝本体において、該側溝本体が、１０００〜２４００ｍｍの長さを有し、かつ、所定高さ位置より下方領域における一部若しくは全部が透水性コンクリートにより構成されていることを特徴とする長尺浸透側溝。
【請求項２】
前記長尺浸透側溝において、前記側溝本体の形態がＵ字溝形態であることを特徴とする請求項１に記載の長尺浸透側溝。
【考案の詳細な説明】
【技術分野】
【０００１】
本考案は、浸透構造を備える側溝に関し、詳しくは、雨水等を地中に浸透させて排水する機能を有する側溝に関するものである。
【背景技術】
【０００２】
従来より、汚水や雨水の排水用の設備として、Ｕ字溝に代表される側溝が道路脇等に設置されている。かかる側溝設備を構築する場合に、長さ約６００ｍｍ程の側溝が一般的に使用されており、該側溝を複数繋ぎ合わせて一連の側溝設備を為している。かかる従来の側溝は、長さが約６００ｍｍ程度の短尺であるため、例えば１８００ｍｍの側溝設備の構築には、該側溝を３基ほど用意して夫々をモルタル等により繋ぎ合わせる必要がある。
【０００３】
このように、従来の側溝は短尺であることから、重量的に軽量で持ち運びが容易であるとともに、側溝設備の端部において長さ調節を行う場合に便利であるというメリットがある一方、側溝設備の中間部分においては、夫々の側溝を繋ぎ合わせる工程を頻繁に行う必要があり、該作業工程に大変な手間が掛かるものであるとともに、側溝同士を繋ぎ合わせる際のモルタル等の塗布量によって変化する目地厚さにより、側溝設備全体の正確な長さを出すことができないものであった。
【先行技術文献】
【特許文献】
【０００４】
【特許文献１】実開平７−３５５８８号公報
【特許文献２】登録実用第３１７２６６０公報
【考案の開示】
【考案が解決しようとする課題】
【０００５】
そこで本考案は、上記問題点に鑑み、側溝設備を構築する際の側溝同士の繋ぎ合わせ工程を減少させることで、施工性の向上に優れ、かつ、側溝設備全体長さの正確性を担保する側溝を提供することを課題とするものである。
【課題を解決するための手段】
【０００６】
上記課題を解決するため、本考案にかかる請求項１に記載の長尺浸透側溝は、全体がコンクリートにより成型される水路を備えた側溝本体において、該側溝本体が、１０００〜２４００ｍｍの長さを有し、かつ、所定高さ位置より下方領域における一部若しくは全部が透水コンクリートにより構成されている。
【０００７】
また、本考案にかかる請求項２に記載の長尺浸透側溝は、前記側溝本体の形態がＵ字溝形態である構成を採用する。
【考案の効果】
【０００８】
本考案にかかる長尺浸透側溝によれば、全体長さが１０００〜２４００ｍｍと長尺であるため、側溝設備を構築する際の側溝同士の繋ぎ合わせ工程数を従来より減少させることができるため、施工性の向上に優れた効果を奏するものである。
【０００９】
また、本考案にかかる長尺浸透側溝によれば、側溝同士を繋ぎ合わせる際にできる目地の数も従来より減少することとなるため、側溝設備全体長さの正確性を担保することも可能になるとともに、繋ぎ目が少なく見た目に綺麗で、美感性の向上に資するものである。
【００１０】
さらに、本考案にかかる長尺浸透側溝によれば、一部を透水コンクリートにより成型することで、優れた流水性能を有しつつ、水路内に流入した雨水等を地下に浸透させることができるため、環境に配慮しつつ、排水性能の向上に優れた効果を奏するものである。
【図面の簡単な説明】
【００１１】
【図１】本考案にかかる長尺浸透側溝の実施形態を示す斜視図である。
【図２】本考案にかかる長尺浸透側溝の実施形態を示す説明図である。
【考案を実施するための形態】
【００１２】
本考案は、側溝本体１０が１０００〜２４００ｍｍの長さを有して側溝同士の繋ぎ目を減少させるとともに、該側溝本体１０の水路１１内に流入した雨水等について、該水路１１による流水と透水コンクリート２２による地中浸透が共に可能であることを最大の特徴とする。以下、本考案にかかる長尺浸透側溝１の実施形態を、図面に基づき説明する。
【００１３】
なお、本考案は、下記の実施形態に示した構成・態様に限定されるものではなく、本考案の技術的思想の要旨に逸脱しない範囲で、任意に変更することができるものである。
【００１４】
図１は、本考案にかかる長尺浸透側溝１の実施形態を示す斜視図であり、また図２は、本発明にかかる長尺浸透側溝１の実施形態を示す説明図である。
すなわち、本考案にかかる長尺浸透側溝１は、全体がコンクリートにより成型され、かつ、内部に水路１１が備えられた側溝本体１０から構成されている。
【００１５】
側溝本体１０の形態は、例えば図２に示すようにＵ字溝形態とすることが考え得るが、かかる形態について特に限定するものではなく、円形水路を有する側溝など、用途に応じて適宜形態変更は可能である。
【００１６】
かかる側溝本体１０は、その長さＬについて長尺構造となっており、具体的には、従来の一般的な側溝長さである６００ｍｍの約２〜４倍となる長さＬ、すなわち１０００〜２４００ｍｍの長さＬを有する構造を採用する。かかる長さＬ構造を採用することにより、例えば３６００ｍｍの側溝設備を構築する際、従来では６基の側溝が必要であるところ、本考案では２〜４基の側溝本体１０を用意すれば足りることとなる。また、かかる側溝同士を繋ぎ合わせるために、従来では５つの目地作業を要するところ、本考案では１乃至３の目地作業で済むことから、繋ぎ合わせ工程に要する目地作業が、約１／５〜３／５で済むこととなる。
【００１７】
該側溝本体１０は、所定高さ位置Ｐより下方領域Ｒにおいて、その一部若しくは全部が透水コンクリート２２により構成されている。図２は、該側溝本体１０の下方領域Ｒにおける透水コンクリート２２の構成態様について示しており、図２（ａ）は該下方領域Ｒの全部が透水コンクリート２２により構成されている場合、図２（ｂ）乃至（ｅ）は、下方領域Ｒの一部が透水コンクリート２２により構成されている場合について示している。
【００１８】
透水コンクリート２２で構成される部分として、図２（ａ）に示すように、所定高さ位置Ｐより下方領域Ｒの全部を透水コンクリート２２で構成した場合、側溝本体１０の両側方から下方域までの広い範囲で、水路１１内に流入した雨水等の地中浸透処理が為されることとなる。
【００１９】
また、所定高さ位置Ｐより下方領域Ｒの一部を透水コンクリート２２で構成する場合については、図２（ｂ）乃至（ｅ）に示すように、あらゆる態様が考え得る。例えば、図２（ｂ）に示すように、側溝ブロック本体２の両側面部を透水コンクリート２２で構成したり、図２（ｃ）に示すように、いずれか一方の側面部のみを透水コンクリート２２で構成したり、さらには、図２（ｄ）に示すように、側溝ブロック本体２の底面部のみを透水コンクリート２２で構成したり、またさらに、図２（ｅ）に示すように、側溝ブロック本体２のいずれか一方の側面部及び底面部を透水コンクリート２２で構成する態様などが考え得る。そして、透水コンクリート２２で構成された部分に応じて、水路１１内に流入した雨水等の地中浸透処理が為されることとなる。
【００２０】
前記側溝本体１０における透水コンクリート２２で構成すべき所定高さ位置Ｐについては、特に限定するものではなく、雨水等の地中への浸透処理能力などを考慮して、任意に設定される。
【００２１】
なお、前記側溝本体１０において、透水コンクリート２２により構成された部分以外については、不透水コンクリート２１により構成されることとなる。
【００２２】
以上の通り構成される本考案にかかる長尺浸透側溝１の設置態様については、特に限定はなく、常法の側溝設備にかかる設置態様に従い、掘削された設置場所に長尺浸透側溝１を埋設すれば足りる。すなわち、側溝設備の設置箇所を掘削し、必要に応じてその掘削箇所に砕石により敷石を行った後、該掘削箇所内に必要な基数だけ側溝本体１０を並べ、その状態で側溝本体１０同士をモルタル等で繋ぎ合わせ、最後に側溝本体１０の周囲を埋め戻す態様となる。
【００２３】
なお、側溝本体１０の形態がＵ字溝形態の場合、掘削された設置場所において、側溝本体１０の開放側を上向きに並べられるとともに、その開放側の上方には、必要に応じて蓋体が備えられることとなる。
【００２４】
本考案にかかる長尺浸透側溝１について、雨水等の流入・地中浸透状況について説明すると、道路や歩道の側端などに配置された側溝本体１０の水路１１内に流入した雨水等は、上流から下流方向へ該水路１１を伝って流水されつつ、該水路１１内にて透水コンクリート２２を介して地中へも浸透が行われる。
このように、本考案にかかる長尺浸透側溝１によれば、水路１１内において流水と地中への浸透とが同時に行われることで、雨水等の排水処理を効率良く行うことが可能となる。
【産業上の利用可能性】
【００２５】
本考案にかかる長尺浸透側溝１は、側溝設備を構築する際の側溝同士の繋ぎ合わせ作業工程が少ないことから施工性の向上に優れるとともに、側溝設備全体長さの正確性を担保することができ、さらには、流水による排水と地中への浸透による排水とを同時に行うことで、優れた排水処理能力を発揮することが可能であって、本考案の産業上の利用可能性は大である。
【符号の説明】
【００２６】
１    長尺浸透側溝
１０    側溝本体
１１    水路
２１    不透水コンクリート
２２    透水コンクリート
Ｌ    長さ
Ｐ    所定高さ位置
Ｒ    下方領域
【図１】
0003176762.tif 000003
【図２】
0003176762.tif 000004